(57)【要約】【課題】介護保険施設と、当該介護保険施設でサービスを受ける被介護者の平均介護度数との組み合わせに基づいて派遣介護職員の時給が定まる人材派遣形態において、細分化された派遣介護職員の時給を一目で把握することが可能であり、従って、当該派遣形態のプレゼンテーション用のパンフレットや、ホームページ等に記載されて好適な、介護職員派遣料金体系表を提供する。【解決手段】本発明に係る介護職員派遣料金体系表は、介護保険施設でサービスを受ける被介護者の平均介護度を表す、1.０〜5.０の範囲の数字が記載された複数個の数字欄４で構成される平均介護度表示ラインＬ１と、介護保険施設名が記載された、一つ又は二以上の介護保険施設欄５で構成される介護保健施設表示ラインＬ２と、これら平均介護度表示ラインＬ１および介護保健施設表示ラインＬ２を項目行および項目列として構成されるマトリクス状のセル内に、介護保険施設に派遣される派遣介護職員の時給が記載された料金記載部７とを備える。【選択図】図１
2005246942.tif 000002
【特許請求の範囲】
【請求項１】
介護保険施設に派遣される派遣介護職員の時給を示す料金体系表であって、
介護保険施設でサービスを受ける被介護者の平均介護度を表す、1.０〜5.０の範囲の数字が記載された複数個の数字欄４で構成される平均介護度表示ラインＬ１と、
介護保険施設名が記載された、一つ又は二以上の介護保険施設欄５で構成される介護保健施設表示ラインＬ２と、
これら平均介護度表示ラインＬ１および介護保健施設表示ラインＬ２を項目行および項目列として構成されるマトリクス状のセル内に、介護保険施設に派遣される派遣介護職員の時給が記載された料金記載部７とを備え、
前記料金記載部７においては、介護保険施設欄５から平均介護度表示ラインＬ１の伸び方向に向かう第１読取方向Ｄ１と、数字欄４から介護保健施設表示ラインＬ２の伸び方向に向かう第２読取方向Ｄ２とが交わるセル内に、介護保険施設の平均介護度に応じて規定された、当該介護保険施設に派遣される派遣介護職員の時給が記載されていることを特徴とする介護職員派遣料金体系表。
【請求項２】
平均介護度表示ラインＬ１が、1.０〜5.０の範囲の平均介護度を示す数字が、一方向に段階的に大きく或いは小さくなるように記載された複数個の数字欄４で構成されている請求項１記載の介護職員派遣料金体系表。
【請求項３】
介護保険施設表示ラインＬ２が、老人型病院１、老人型病院２、一般病院、老人保険施設、指定介護老人福祉施設、グループホーム、有料老人ホーム、ケアハウス、デイケア、およびデイサービスセンターから選択されるいずれか一つ、又は二以上の介護保険施設欄５で構成されている請求項２記載の介護職員派遣料金体系表。
【請求項４】
介護保険施設表示ラインＬ２に隣接する表の外側位置に、老人型病院１、老人型病院２、一般病院、老人保険施設、指定介護老人福祉施設からなる施設系の欄、グループホーム、有料老人ホーム、ケアハウスからなる住宅系の欄、デイケア、デイサービスセンターからなる在宅系の欄などで構成される、介護保険施設欄５に記載の介護保険施設の上位概念である施設分類名が記載された介護保険施設分類ラインＬ３が、介護保険施設表示ラインＬ２の伸び方向と同方向に走っている請求項３記載の介護職員派遣料金体系表。
【請求項５】
有料老人ホームの欄の料金記載部７寄りに、一般居室の欄と介護居室の欄の二つの欄が、有料老人ホームの欄を二分割するように、介護保健施設表示ラインＬ２の伸び方向に並設されている請求項４記載の介護職員派遣料金体系表。
【請求項６】
平均介護度表示ラインＬ１が、「1.０以上」、「2.０以上」、「3.０以上」、「4.０〜5.０」の四個の数字欄４からなる請求項５記載の介護職員派遣料金体系表。
【請求項７】
老人型病院２、一般病院、一般居室、デイケアおよびデイサービスセンターの介護保険施設欄に対応する料金記載部７のセルが結合されており、この結合されたセル内に、派遣介護職員の時給を示す一つの数字が記載されている請求項６記載の介護職員派遣料金体系表。
【発明の詳細な説明】
【技術分野】
【０００１】
本発明は、介護保険施設に派遣される派遣介護職員の時給を示す料金体系表に関する。
【背景技術】
【０００２】
介護保険施設の経営効率の向上に寄与することを目的として、本発明者は新規な介護職員の派遣サービスを提案した。そこでは、老人型病院１、一般病院、老人保険施設、有料老人ホームなどの各種介護保険施設と、当該施設でサービスを受ける被介護者の平均介護度数（1.０〜5.０）との組み合わせに基づいて、派遣介護職員の時給を定めた。
【０００３】
かかる派遣サービスによれば、正社員として介護職員を雇用する場合に比べて、賞与、昇給、福利厚生費、保険費等の職員雇用に伴う施設側のコスト負担を低く抑えることができる。何よりも、派遣介護職員の時給が介護保険施設の種別と平均介護度とに基づいて細分化されていると、平均介護度のみに基づいて、或いは介護保険施設の種別のみに基づいて時給が定められていた従来の派遣サービス形態に比べて、実情に見合った満足度の高いサービスを施設側に提供ができるというメリットがある。
【０００４】
具体的には、例えば介護度1.０とは、立ち上がりや歩行が不安定で、身だしなみなどの身の回りの世話に介助が必要な程度を意味し、介護度5.０とは、意思の伝達が困難で、生活全般について全面的介助が必要な状態を意味する。しかるに介護度1.０の被介護者に対する介護と、介護度5.０の被介護者に対する介護とでは、派遣介護職員に求められる仕事内容に雲泥の差があり、介護保険施設の種別のみに基づいて、一律に派遣介護職員の時給を定めることは不合理であると言わざるを得ない。
【０００５】
一方、介護保健施設でサービスを受ける被介護者の平均介護度のみに基づいて、派遣介護職員の時給を定めることにも不合理がある。具体的には、例えば有料老人ホームの介護居室では、被介護者の平均介護度を算出することには意味があるが、一般居室では介護の必要性に乏しいため、平均介護度を算出することの意味は少ない。従って、一律に平均介護度のみに基づいて派遣介護職員の時給を定めることも、実情に沿うものであるとは言えない。以上より、介護保険施設の種別と、当該介護保険施設でサービスを受ける被介護者の平均介護度数との組み合わせに基づいて、派遣介護職員の時給が定まるという、本発明者の提案に係る新規な人材派遣サービスは、施設側にとって非常に納得のいく、満足度の高いサービスであると言える。
【０００６】
本発明に関連する先行技術文献としては、特許文献１ないし３を挙げることができる。
【特許文献１】特開２００２−２９７８４５号公報（段落番号００３４、第１１図）
【特許文献２】特開２００２−２３０１６７号公報
【特許文献３】特開２０００−２１８９６７号公報
【発明の開示】
【発明が解決しようとする課題】
【０００７】
かかる人材派遣サービスの問題は、料金体系を細分化したことに伴って派遣料金（時給）が複雑化し、その結果、施設側に対してプレゼンテーションを行う際の料金体系の説明が困難を極めることにある。かかる不具合は、商品イメージの低下を招くほか、訴求効果の低下を引き起こす。
【０００８】
本発明の目的は、介護保険施設と、当該介護保険施設でサービスを受ける被介護者の平均介護度数との組み合わせに基づいて派遣介護職員の時給が定まる人材派遣形態において、細分化された派遣介護職員の時給を一目で把握することが可能であり、従って、当該派遣形態のプレゼンテーション用のパンフレットや、ホームページ等に記載されて好適な、介護職員派遣料金体系表を提供することにある。本発明の目的は、細分化された料金体系を一目で把握できるようにして、人材派遣サービスに緻密さや高精度さなどの高品質感を付与し、以て商品イメージの向上と、施設側に対する商品の訴求効果の向上とに貢献し得る、介護職員派遣料金体系表を提供することにある。
【課題を解決するための手段】
【０００９】
本発明は、図１に示すような介護保険施設に派遣される派遣介護職員の時給を示す料金体系表である。この介護職員派遣料金体系表は、介護保険施設でサービスを受ける被介護者の平均介護度を表す、1.０〜5.０の範囲の数字が記載された複数個の数字欄４で構成される平均介護度表示ラインＬ１と、介護保険施設名が記載された、一つ又は二以上の介護保険施設欄５で構成される介護保健施設表示ラインＬ２と、これら平均介護度表示ラインＬ１および介護保健施設表示ラインＬ２を項目行および項目列として構成されるマトリクス状のセル内に、介護保険施設に派遣される派遣介護職員の時給が記載された料金記載部７とを備える。
【００１０】
そして、前記料金記載部７においては、介護保険施設欄５から平均介護度表示ラインＬ１の伸び方向に向かう第１読取方向Ｄ１と、数字欄４から介護保健施設表示ラインＬ２の伸び方向に向かう第２読取方向Ｄ２とが交わるセル内に、介護保険施設の平均介護度に応じて規定された、当該介護保険施設に派遣される派遣介護職員の時給が記載されていることを特徴とする。
【００１１】
ここでいう「介護保険施設」とは、老人型病院や有料老人ホームだけでなく、デイケアサービスや、デイサービスセンターなども含む概念である。
【００１２】
具体的には、平均介護度表示ラインＬ１は、1.０〜5.０の範囲の平均介護度を示す数字が、一方向に段階的に大きく或いは小さくなるように記載された複数個の数字欄４で構成されるものとすることができる。図１には、左方向から右方向に行くに従って、平均介護度を示す数字が、大きくなるように記載された形態を示す。
【００１３】
介護保険施設表示ラインＬ２は、老人型病院１、老人型病院２、一般病院、老人保険施設、指定介護老人福祉施設、グループホーム、有料老人ホーム、ケアハウス、デイケア、およびデイサービスセンターから選択されるいずれか一つ、又は二以上の介護保険施設欄５で構成されるものとすることができる。
【００１４】
ここで老人型病院１とは、介護療養型医療施設を意味し、老人型病院２とは、ケアミックス型一般病棟、特殊疾患病棟、医療保険療養型病床のいずれかを意味する。介護保険施設名５に対する記載文字は、上記の「老人型病院１」などに限られず、実質的に同様の内容を意味するものであってもよい。また、これら介護保険施設欄５の記載順序も、図１に示すものに限られない。
【００１５】
介護保険施設表示ラインＬ２に隣接する表の外側位置に、老人型病院１、老人型病院２、一般病院、老人保険施設、指定介護老人福祉施設からなる施設系の欄、グループホーム、有料老人ホーム、ケアハウスからなる住宅系の欄、デイケア、デイサービスセンターからなる在宅系の欄などで構成される、介護保険施設欄５に記載の介護保険施設の上位概念である施設分類名が記載された介護保険施設分類ラインＬ３を、介護保険施設表示ラインＬ２の伸び方向と同方向に走らせることができる。
【００１６】
有料老人ホームの欄の料金記載部７寄りに、一般居室の欄と介護居室の欄の二つの欄を、有料老人ホームの欄を二分割するように、介護保健施設表示ラインＬ２の伸び方向に並設することができる。
【００１７】
平均介護度表示ラインＬ１が、「1.０以上」、「2.０以上」、「3.０以上」、「4.０〜5.０」の四個の数字欄４からなるものとすることができる。
【００１８】
老人型病院２、一般病院、一般居室、デイケアおよびデイサービスセンターの介護保険施設欄に対応する料金記載部７のセルが結合されており、この結合されたセル内に、派遣介護職員の時給を示す一つの数字が記載された形態を採ることができる。
【発明の効果】
【００１９】
本発明に係る介護職員派遣料金体系表によれば、まず、図２に示すごとく、介護保険施設表示ラインＬ２を見て、介護職員の派遣サービスの提供を受ける介護保険施設名を欄５から読み取る。次に、図３に示すごとく、平均介護度表示ラインＬ１を見て、介護保険施設でサービスを受けている被介護者の平均介護度に該当する数字を欄４から読み取る。そして、先に読み取った欄５から平均介護度表示ラインＬ１の伸び方向に向かう第１読取方向Ｄ１と、欄４から介護保健施設表示ラインＬ２の伸び方向に向かう第２読取方向Ｄ２とが交わる料金記載部７のセルから、派遣会社に支払う派遣介護職員の時給を知ることができる。これにて、簡単な読取作業で、瞬時に派遣介護職員の時給を認識できるので、単純に介護保険施設名と平均介護度の組み合わせを羅列したような場合よりも、料金体系の説明や把握が格段に簡単となる。また、このように派遣介護職員の料金体系をわかり易い表にしてあると、従来形態に比べてサービスの個性化が顕著となるとともに、商品優位性の説得力が増すため、介護保険施設経営者に対する訴求効果の飛躍的な向上を図ることができる。また、当該人材派遣サービスに、緻密さや高精度さなどの高品質管を付与することもできる。
【００２０】
介護保険施設表示ラインＬ２に隣接する表の外側位置に、施設系、住宅系、在宅系などと書かれた、介護保険施設の上位概念からなる介護保険施設分類ラインＬ３が設けられていると、該当する介護保険施設表示欄５に素早く到達できる。これも料金体系の説明や把握の容易化に貢献するものであり、結果として商品イメージと訴求効果の向上に資する。
【００２１】
平均介護度表示ラインＬ１が、1.０〜5.０の範囲の平均介護度を示す数字が、一方向に段階的に大きく或いは小さくなるように記載された複数個の数字欄４で構成されていると、ラインＬ１の読取作業が非常に容易となる。これも料金体系の説明や把握の容易化に貢献するものであり、結果として商品イメージと訴求効果の向上に資する。
【００２２】
とくに、有料老人ホームにおけるサービスでは、一般居室と介護居室とで顕著に派遣介護職員に求められるサービスが異なり、また、その派遣料金（時給）を的確に説明・把握することは容易でない。その点、有料老人ホームの欄の料金記載部７寄りに、一般居室の欄と介護居室の欄の二つの欄が、有料老人ホームの欄を二分割するように、介護保健施設表示ラインＬ２の伸び方向に並設されていて、これら一般居室と介護居室に対応する料金体系が料金記載部７に記載されていると、派遣料金を容易に把握できる。
【００２３】
老人型病院２、一般病院、一般居室、デイケアおよびデイサービスセンターなどの介護保険施設に対する派遣料金は、平均介護度に関係なく一定額とすることを予定している。この場合において、老人型病院２などの介護保険施設欄に対応する料金記載部７のセルが結合されており、この結合されたセル内に派遣介護職員の時給を示す一つの数字が記載されていると、一目で派遣料金を把握することができるので、該当する料金記載部７を構成する各セル内に同じ数字が羅列された形態に比べて、料金体系の説明・把握が格段に容易となる。
【発明を実施するための最良の形態】
【００２４】
図１ないし図３に本発明に係る介護職員派遣料金体系表を示す。図１には、この介護職員派遣料金体系表１（以下、単に料金体系表と記す）を、プレゼンテーションや宣伝用のパンフレット１０に掲載した例を示す。
【００２５】
図１においてＬ１は、平均介護度を示す数字が記載された四個の数字欄４からなる平均介護度表示ラインを、Ｌ２は、「老人型病院１」などの各種の介護保険施設名が記載された１０個の介護保険施設表示欄５からなる介護保険施設表示ラインを示す。ここで平均介護度とは、介護保健施設でサービスを受ける全被介護者の要介護度の平均値を意味する。平均介護度表示ラインＬ１は横方向に走っており、該ラインＬ１を構成する数字欄４には、左側から順に「1.０〜」、「2.０〜」、「3.０〜」、「4.０〜5.０」と記載されている。つまり、右方向に行くに従って大きくなるように、数字欄４には平均介護度を示す数字が記載されている。
【００２６】
介護保険施設表示ラインＬ２は、平均介護度表示ラインＬ１と直交する縦方向に走るものであり、該ラインＬ２を構成する介護保険施設名表示欄５には、上から順に、「老人型病院１」、「老人型病院２」、「一般病院」、「老人保険施設」、「指定介護老人福祉施設」、「グループホーム」、「有料老人ホーム」、「ケアハウス」、「デイケア」および「デイサービスセンター」と記載されている。さらに「有料老人ホーム」に係る介護保険施設名表示欄は、縦方向に「一般居室」と「介護居室」の二つの欄に分けられている。
【００２７】
図１において、符号７は、介護保険施設に派遣される派遣介護職員の時給が記載された料金記載部を示す。この料金記載部は、平均介護度表示ラインＬ１を項目列、介護保険施設表示ラインＬ２を項目行とするマトリクス状のセルからなり、各セル内に派遣介護職員の時給が記載されている。
【００２８】
料金記載部７を構成する行方向のセルは、数箇所において結合されている。具体的には、「老人型病院２」、「一般病院」、「有料老人ホーム」の「一般居室」、「デイケア」および「デイケアサービスセンター」の介護保険施設表示欄に対応する、料金記載部を構成する横方向のセルは結合されていて、この結合された横方向に長い一つのセル内に、各介護保険施設に対応する派遣介護職員の時給が記載されている。
【００２９】
介護保険施設表示ラインＬ２に隣接する表の外側位置（図１では左側位置）には、介護保険施設表示欄に記載の各施設を上位概念に分類した、介護保険施設分類ラインＬ３が、縦方向に走っている。具体的には、このラインＬ３は、「老人型病院１」、「老人型病院２」、「一般病院」、「老人保険施設」、「指定介護老人福祉施設」などの介護保健施設表示欄に隣接する「施設系」の欄、「グループホーム」、「有料老人ホーム」、「ケアハウス」に隣接する「住宅系」の欄、「デイケア」、「デイサービスセンター」に隣接する「在宅系」の欄の３つの分類欄８で構成される。
【００３０】
以上のような構成からなる介護職員派遣料金体系表１の見方を、図２および図３を使って説明する。ここでは、介護保健施設の経営者が、本発明者の提案に係る介護職員の派遣業務サービスの導入を検討する場合に例にして説明する。
【００３１】
まず、図２に示すように、経営者は、介護保険施設表示ラインＬ２を縦方向に見て、自身が経営する施設を介護保険施設表示欄５から読み取る。このときに、介護保険施設分類ラインＬ３を参照することで、該当する介護保険施設表示欄５に迅速に到達できる。
【００３２】
次に図３に示すごとく、平均介護度表示ラインＬ１を横方向に見て、経営者は自身が経営する介護保険施設の平均介護度に該当する数字を欄４から読み取る。そして、上述の読取動作で見つけた介護保険施設表示欄５と数字欄４に基づいて、対応する料金記載部７の数字を読むことで、派遣会社に支払う派遣介護職員の時給を知ることができる。より詳しくは、先に読み取った介護保険施設表示欄５から平均介護度表示ラインＬ１の伸び方向に向かう第１読取方向Ｄ１と、数字欄４から介護保健施設表示ラインＬ２の伸び方向に向かう第２読取方向Ｄ２とが交わるセルに記載の数字を読むことで、派遣会社に支払う派遣介護職員の時給を知ることができる。
【００３３】
尤も、自身が経営する施設が、老人型病院２、デイサービスセンターなどである場合には、平均介護度表示ラインＬ１を読むことなく、数字記載部７に係る行方向に結合されたセルに記載の数字を読むことで、派遣介護職員の時給を知ることができる。
【００３４】
上記実施形態では、平均介護度表示ラインＬ１は横方向に伸びて、介護保険施設表示ラインＬ２は縦方向に伸びていたが、両者の並び方向は逆方向であってもよい。つまり、Ｌ１が縦方向に伸び、Ｌ２が横方向に伸びる形態であってもよい。上記実施形態では、施設系、住宅系、在宅系の全ての施設が、一つの表内にまとめて記載されていたが、これらの一部のみを抽出したものであってもよく、例えば「施設系」の派遣料金のみが記載されたものであってもよい。
【００３５】
平均介護度表示ラインＬ１を構成する数字欄４は、四個に限られず、それ以上であってもよい。つまり、Ｌ１は、より細かに段階分けされていてもよい。同様に、介護保険施設表示ラインＬ２を構成する介護保険施設表示欄５は、より細かに分類分けされていてもよい。数字記載部７に記載された料金は一例であり、本発明がこれに限定されるものでないことは言うまでもない。
【図面の簡単な説明】
【００３６】
【図１】本発明に係る介護職員派遣料金体系表を示す図である。
【図２】介護職員派遣料金体系表の読取方法を説明するための図である。
【図３】介護職員派遣料金体系表の読取方法を説明するための図である。
【符号の説明】
【００３７】
１  介護職員派遣料金体系表
４  数字欄
５  介護保健施設表示欄
７  料金記載部
８  分類欄
Ｌ１  平均介護度表示ライン
Ｌ２  介護保険施設表示ライン
Ｌ３  介護保険施設分類ライン
【図１】
2005246942.tif 000003
【図２】
2005246942.tif 000004
【図３】
2005246942.tif 000005